(57)【要約】【課題】真空成形または圧空成形により薄肉に形成した熱交換器を積層した状態で、安定した取付状態を得る。【解決手段】除湿機本体１０と、加熱ヒータ５３と、真空成形や圧空成形により形成した薄肉な樹脂製の熱交換器６７Ａ，６７Ｂと、再生空気循環ファン９４と、室内空気循環ファン９６とを備えた除湿機において、熱交換器６７Ａ，６７Ｂを、除湿ロータ５５と逆向きに２以上積層配置するとともに、除湿ロータ５５と熱交換器６７Ａ，６７Ｂとの間において、加熱ヒータ５３と対応する位置にロータカバー５９を配設し、ロータカバー５９に、除湿ロータ５５から最も離れた外側熱交換器６７Ｂを除く中側熱交換器６７Ｂに挿通して位置決め保持する第１保持部６１と、外側熱交換器６７Ｂの一面を貫通し他面に当接して位置決め保持する第２保持部６２とを備え、これらに各熱交換器６７Ａ，６７Ｂの流路への排気口６４を形成した接続部６０を設けた構成とする。【選択図】図３
2006204971.tif 000002
【特許請求の範囲】
【請求項１】
内部を除湿通路と再生通路とに区画した除湿機本体と、
前記両通路に跨って回転可能に配設した除湿ロータと、
前記再生通路内に配設し、前記再生空気および除湿ロータの一部を加熱する加熱ヒータと、
前記除湿通路内に配設され、該除湿通路を流通する空気を通過させる通孔を備えるとともに、前記再生通路の一部を構成する流路を備え、該流路内を流動する再生空気が含有した水分を熱交換によって取り除く、真空成形や圧空成形により形成した薄肉な樹脂製の熱交換器と、
前記再生通路内に配設し、前記加熱ヒータ、除湿ロータおよび熱交換器の積層順番で再生空気を循環させる再生空気循環ファンと、
前記除湿通路内に配設し、室内の空気を吸引して前記除湿ロータによって除湿した空気を室内に循環供給する室内空気循環ファンと
を備えた除湿機において、
前記熱交換器を、前記除湿ロータと逆向きに２以上積層配置するとともに、
前記除湿ロータと熱交換器との間において、前記加熱ヒータと対応する位置にロータカバーを配設し、
前記ロータカバーに、前記除湿ロータから最も離れた外側熱交換器を除く中側熱交換器に挿通して位置決め保持する第１保持部と、前記外側熱交換器の一面を貫通し他面に当接して位置決め保持する第２保持部とを備え、これらに各熱交換器の流路への排気口を形成した接続部を設けたことを特徴とする除湿機。
【請求項２】
前記第１保持部と第２保持部との境界部分に段部を設け、該段部を前記中側熱交換器の一面に当接させたことを特徴とする請求項１に記載の除湿機。
【発明の詳細な説明】
【技術分野】
【０００１】
本発明は、除湿機に関するものである。
【背景技術】
【０００２】
この種の除湿機は、除湿機本体内が除湿通路と再生通路とに区画され、これら通路に跨って円板状の除湿ロータが回転可能に配設されている。前記除湿通路には、室内の空気を吸込口から吸引し、吹出口から室内に循環供給するための室内空気循環ファンが配設されている。前記再生通路には、該再生通路内の再生空気を循環させる再生空気循環ファンと、前記再生空気および除湿ロータを加熱する加熱ヒータとが配設されている。また、除湿機本体内には、前記再生通路の一部を構成する熱交換器が配設されている。
【０００３】
そして、前記除湿通路では、吸引した室内の空気（外気）が前記除湿ロータを通過することにより、空気に含まれた水分を吸着して除湿し、乾燥した空気として吹出口から室内に循環供給する構成としている。また、再生通路では、内部の再生空気が前記加熱ヒータで加熱され、この状態で前記除湿ロータを通過することにより、該除湿ロータが吸着した水分を放出する。そして、その再生空気が、熱交換器を通過する際に熱交換によって冷却されると、含有した水分が結露する。これにより、再生空気に含まれた水分が取り除かれ、結露した水がタンクに回収される。
【０００４】
本発明の除湿機に関連する先行技術文献情報としては次のものがある。
【０００５】
【特許文献１】特開平１１−３３３２３９号公報
【特許文献２】特開２００４−２７１０３１号公報
【０００６】
この特許文献１には、ブロー成形により一体成形した樹脂製の熱交換器を搭載した除湿機が記載されている。前記熱交換器は、略楕円形状をなす複数の流路が並設され、また、隣接する流路の間は開口した通孔をなすように構成されている。また、熱交換器には、流路の一端に流入口が形成されるとともに、他端に流出口が形成されている。さらに、熱交換器の下部には、ドレン部が形成されている。
【０００７】
しかし、この特許文献１の熱交換器は、ブロー成形により製造しているため、その肉厚が厚く、熱交換率が悪いという問題がある。また、複雑な形状で形成することが困難であり、製造する製品の安定性（歩留まり）が悪いという問題がある。
【０００８】
そこで、本出願人は、特許文献２で、熱交換率および製造に係る歩留まりを向上させることができる熱交換器を提供している。この特許文献２の熱交換器は、真空成形または圧空成形により、仕切用凹条を備えた対称な一対のパネルを形成し、これらパネルを溶着することにより、前記仕切用凹条を除く部分により再生通路を構成する流路を形成する。そして、溶着された仕切用凹条には除湿通路を流動する空気を通過させるための通孔を形成した構成としている。
【０００９】
しかしながら、この特許文献２の熱交換器は、薄肉であるため熱交換率は向上できるが、複数個積層させた状態で取り付ける場合には、少しの押圧で変形し、安定した取付状態を得ることができない。その結果、再生通路を構成する内部の流路への接続部分の密閉性を確保できないという不都合がある。
【発明の開示】
【発明が解決しようとする課題】
【００１０】
本発明では、真空成形または圧空成形により薄肉に形成した熱交換器を積層した状態で、安定した取付状態を得ることができる除湿機を提供することを課題とするものである。
【課題を解決するための手段】
【００１１】
前記課題を解決するため、内部を除湿通路と再生通路とに区画した除湿機本体と、前記両通路に跨って回転可能に配設した除湿ロータと、前記再生通路内に配設し、前記再生空気および除湿ロータの一部を加熱する加熱ヒータと、前記除湿通路内に配設され、該除湿通路を流通する空気を通過させる通孔を備えるとともに、前記再生通路の一部を構成する流路を備え、該流路内を流動する再生空気が含有した水分を熱交換によって取り除く、真空成形や圧空成形により形成した薄肉な樹脂製の熱交換器と、前記再生通路内に配設し、前記加熱ヒータ、除湿ロータおよび熱交換器の積層順番で再生空気を循環させる再生空気循環ファンと、前記除湿通路内に配設し、室内の空気を吸引して前記除湿ロータによって除湿した空気を室内に循環供給する室内空気循環ファンとを備えた除湿機において、前記熱交換器を、前記除湿ロータと逆向きに２以上積層配置するとともに、前記除湿ロータと熱交換器との間において、前記加熱ヒータと対応する位置にロータカバーを配設し、前記ロータカバーに、前記除湿ロータから最も離れた外側熱交換器を除く中側熱交換器に挿通して位置決め保持する第１保持部と、前記外側熱交換器の一面を貫通し他面に当接して位置決め保持する第２保持部とを備え、これらに各熱交換器の流路への排気口を形成した接続部を設けた構成としている。
【００１２】
具体的には、この除湿機では、前記第１保持部と第２保持部との境界部分に段部を設け、該段部を前記中側熱交換器の一面に当接させることが好ましい。
【発明の効果】
【００１３】
本発明の除湿機では、除湿ロータと熱交換器との間にロータカバーを配設し、このロータカバーに、中側熱交換器に挿通して位置決め保持する第１保持部と、外側熱交換器内に挿入して位置決め保持する第２保持部とを備えた接続部を設けているため、薄肉な熱交換器を積層した状態で、安定して取り付けることができ、その接続部分の密閉性を確保できる。また、接続部には、第１保持部と第２保持部との境界部分に段部を設けているため、各熱交換器を個別に位置決めし、確実に取り付けることができる。
【発明を実施するための最良の形態】
【００１４】
以下、本発明の実施の形態を図面に従って説明する。
【００１５】
図１は、本発明の実施形態に係る除湿機を示す。この除湿機は、大略、矩形状をなす除湿機本体１０の内部を除湿通路１１と再生通路１２とに区画し、その内部に、除湿手段を構成する加熱ヒータ５３、除湿ロータ５５、熱交換器６７Ａ，６７Ｂおよび再生空気循環ファン９４と、送風手段を構成する室内空気循環ファン９６とを水平方向に配設するとともに、下部にタンク９８を配設したものである。
【００１６】
具体的には、前記除湿機本体１０は、図２、図３および図４に示すように、基体１３の表面に、前カバー３４、左カバー３５、右カバー３７および上面カバー４４を配設するとともに、下部に下カバー５０および底部材５１を配設したものである。
【００１７】
前記基体１３は、後述する加熱ヒータ５３、除湿ロータ５５、熱交換器６７Ａ，６７Ｂ、再生空気循環ファン９４および室内空気循環ファン９６を固定するものである。図４に示すように、前記基体１３の中央には、上向きに膨出するとともに前後方向に延びるタンクハンドル挿通部１４が設けられている。
【００１８】
また、図４および図５に示すように、基体１３の左側には、インボリュート通路を構成する壁１５を備え、該壁１５の内部に通気孔１６を形成した室内空気循環ファン配設部１７が設けられている。この室内空気循環ファン配設部１７の開口部分は、後述する左カバー３５の装着により閉塞される。また、この室内空気循環ファン配設部１７において、図５中右側に位置する基体１３の前側上部には再生空気循環ファン配設部１８が設けられている。この再生空気循環ファン配設部１８の開口部分は、図示しないカバーにより閉塞される。
【００１９】
さらに、図６および図７に示すように、前記基体１３の右側部分には、左側より加熱ヒータ配設部１９と、除湿ロータ配設部２０とが設けられている。加熱ヒータ配設部１９は、除湿ロータ配設部２０内において、扇形状に窪んだ凹部からなる。除湿ロータ配設部２０は、後述する除湿ロータ５５の保持部材５７の下端縁より肉厚の周壁２１の上面に、ガイド用の凹溝２２を設けたものである。また、この基体１３において、図６中左側に位置する前側には、下部から上部にかけて垂直に延びる断面凹字形状の溝からなり、前記再生空気循環ファン配設部１８に連通するダクト部２３が設けられている。このダクト部２３と前記再生空気循環ファン９４とは連通孔２４により連通されている。また、このダクト部２３の下端面には、後述するタンク９８の略中央上部に位置する排水孔２５が設けられ、このダクト部２３内で結露した水をタンク９８へ排水できるように構成している。このダクト部２３の開口部分は、別体からなるダクトカバー２６により閉塞される。このダクトカバー２６には、前記除湿ロータ配設部２０の周壁２１および凹溝２２の一部を構成する周壁部２７と凹溝部２８とが設けられている。また、後述する熱交換器６７Ａの流出口７６に接続する接続パイプ部２９が突設されている。さらに、この基体１３の右側には、前記ダクト部２３の後側上部に位置するように、前記再生空気循環ファン配設部１８に連通したパイプ接続部３０が設けられている。このパイプ接続部３０には、後述する加熱ヒータ５３を収容するヒータケース５４と接続するための接続パイプ３１が配設される。この接続パイプ３１には、ダクトカバー２６と同様に、除湿ロータ配設部２０の周壁２１および凹溝２２の一部を構成する周壁部３２と凹溝部３３とが設けられている。
【００２０】
図２および図３に示すように、前記前カバー３４は、基体１３の前部において、タンク９８の上方を閉塞するものである。前記左カバー３５は、前記基体１３の左側部から後側部の中央にかけて略Ｌ字形状に覆うことにより、前記室内空気循環ファン配設部１７の壁１５の先端を閉塞するもので、その上部には複数の吹出口３６が設けられている。前記右カバー３７は、前記基体１３の右側部から後側部の中央にかけて略Ｌ字形状に覆うもので、縦方向に延びる複数のスリットからなる吸込口３８が設けられている。この右カバー３７には、その後側に垂直方向に延びるフィルタ装着孔３９が設けられている。このフィルタ装着孔３９から右カバー３７の内側に着脱可能に装着されるフィルタ部材４０は、連続した一枚の樹脂網からなるメッシュフィルタ４１をインサート成形したフィルタ本体４２と、該フィルタ本体４２の一端に取り付けられ外装体の表面に露出される把持部材４３とからなる。
【００２１】
前記上面カバー４４は、基体１３の上面を覆うもので、その前部には複数の入力手段であるスイッチおよび表示手段であるＬＥＤを配設した操作パネル４５が配設されている。この上面カバー４４には、前記室内空気循環ファン配設部１７の上部に位置するように、回動可能な吹出口であるルーバー４６が配設されている。また、この上面カバー４４には、中央から右側部分にかけて平面視略凹字形状をなし、内向きに窪んだハンドル収容部４７が設けられている。このハンドル収容部４７に配設されるハンドル４８は、貫通孔を通して基体１３に形成された軸受部４９に回転可能に軸着される。
【００２２】
前記下カバー５０は、前記基体１３の下部において両側部および後側部を覆う平面視略Ｕ字形状のものである。また、前記底部材５１は、前記下カバー５０の下側を覆う略長楕円形状のものである。そして、本実施形態では、前記基体１３の底と、これら下カバー５０および底部材５１により、タンク９８を収容するタンク収容室５２を形成している。
【００２３】
前記加熱ヒータ５３は、図７に示すように、図示しない電源回路からの供給電力により発熱し、再生空気および除湿ロータ５５を加熱するもので、連続した１巻きのコイルからなり、ヒータケース５４を介して前記加熱ヒータ配設部１９に配設される。このヒータケース５４は、前記再生空気循環ファン配設部１８に連通したパイプ接続部３０と前記接続パイプ３１によって接続されている。
【００２４】
前記除湿ロータ５５は、その約３／４が除湿通路１１内に位置し、約１／４が再生通路１２内に位置するように、前記両通路１１，１２に跨って図示しない駆動モータにより回転可能に配設した円板状のものである。具体的には、この除湿ロータ５５は、図８に示すように、ゼオライトまたはシリカゲルを結合させたメッシュ状のセラミックハニカムからなるロータ本体５６を、樹脂製の保持部材５７によって保持させたものである。この保持部材５７の外壁部には、駆動モータの出力軸に配設した歯車に噛み合う複数の凸状歯５８が設けられている。
【００２５】
図３、図４および図８に示すように、前記除湿ロータ５５において、加熱ヒータ５３と対応する位置には、ロータカバー５９が配設されている。言い換えれば、前記除湿ロータ５５と後述する熱交換器６７Ａとの間において、加熱ヒータ５３と横方向に対応する位置にロータカバー５９が配設されている。このロータカバー５９には、一対の熱交換器６７Ａ，６７Ｂを積層状態で取り付けるための接続部６０が設けられている。
【００２６】
前記接続部６０は凸状をなす円柱形状にもので、直径が大きい第１保持部６１と、該第１保持部６１より直径が小さい第２保持部６２とを備え、これらの境界部分に段部６３を形成したものである。前記第１保持部６１は、除湿ロータ５５の側である中側の熱交換器６７Ａに挿通することにより、手前の面（パネル６８Ａ）を貫通し、離れた面（パネル６８Ｂ）に段部６３を当接させて位置決めして保持するもので、その基部には階段状に膨出する膨出部６１ａが設けられている。前記第２保持部６２は、除湿ロータ５５から離れた外側の熱交換器６７Ｂにおいて、手前の面（パネル８２Ａ）を貫通し、離れた面（パネル８２Ｂ）に当接させることにより、該熱交換器６７Ｂを位置決めして保持するもので、その基部には第１保持部６１と同様に階段状に膨出する膨出部６２ａが設けられている。これら第１保持部６１および第２保持部６２には、熱交換器６７Ａ，６７Ｂの流路７１，８４に連通する排気口６４が設けられている。また、このロータカバー５９において、前記接続部６０の近傍には、熱交換器６７Ａ，６７Ｂを更に位置決めするために２種の位置決め凸部６５Ａ，６５Ｂが設けられている。一方の位置決め凸部６５Ａは、中側の熱交換器６７Ａを貫通するとともに外側の熱交換器６７Ｂに嵌合して位置決めするものである。他方の位置決め凸部６５Ｂは、中側の熱交換器６７Ａに嵌合して位置決めするものである。これら位置決め凸部６５Ａ，６５Ｂの先端には、それぞれネジ止め用のネジ孔６６が設けられている。
【００２７】
前記熱交換器６７Ａ，６７Ｂは、図３および図４に示すように、前記除湿ロータ５５の外側である右側に積層状態で配設されるものである。具体的には、これら熱交換器６７Ａ，６７Ｂは、図９および図１０に示すように、真空成形または圧空成形により形成した一対のパネル６８Ａ，６８Ｂ，８２Ａ，８２Ｂを溶着した樹脂製のものである。
【００２８】
具体的には、図９（Ａ），（Ｂ），（Ｃ）に示すように、除湿ロータ５５の側に配設される中側の熱交換器６７Ａのパネル６８Ａ，６８Ｂには、互いに対称に位置する複数の仕切用凹条６９Ａ，６９Ｂが形成され、これら仕切用凹条６９Ａ，６９Ｂを除く部位により再生空気を通過させる複数の流路７０が形成されている。この流路７０は、その下部の１点が最下端に位置するように傾斜され、その最下端位置にドレン部７１が設けられている。また、貼り合わされた仕切用凹条６９Ａ，６９Ｂの部位には、吸引した空気を流通させるための通孔７２が設けられている。
【００２９】
前記パネル６８Ａ，６８Ｂのうち、除湿ロータ５５の側に位置される左側のパネル６８Ａには、図９（Ａ），（Ｃ）に示すように、前記ロータカバー５９の第１保持部６１を貫通するとともに膨出部６１ａを嵌合する外向きに突出した円環状の凸条からなる装着部７３が設けられている。この装着部７３の内径は、前記ロータカバー５９の第１保持部６１の膨出部６１ａを除く部分の外径と略同一に形成されている。この装着部７３の周囲には、前記位置決め凸部６５Ａを貫通させる位置決め用貫通孔７４が設けられるとともに、位置決め凸部６５Ｂが嵌合される位置決め凹部７５が設けられている。また、前記装着部７３との対角位置には、略台形状をなし、前記ダクトカバー２６の接続パイプ部２９に接続される流出口７６が設けられている。
【００３０】
外側の熱交換器６７Ｂの側に位置される右側のパネル６８Ｂには、図９（Ｂ），（Ｃ）に示すように、前記装着部７３に対応する貫通孔７７が設けられている。この貫通孔７７の内径は、前記ロータカバー５９において第１保持部６１より直径が小さい第２保持部６２の膨出部６１ａの外径と略同一に形成され、該貫通孔７７の周縁内面に段部６３が当接して位置決めされるように構成している。また、パネル６８Ｂには、前記位置決め用貫通孔７４と対応する位置決め用貫通孔７８が設けられるとともに、位置決め凹部７５と対応するネジ貫通孔７９が設けられている。さらに、前記流出口７６と対応する位置には、貼着状態で左右に一致する同一形状の接続口８０が設けられている。さらにまた、このパネル６８Ｂの上下には、外側の熱交換器６７Ｂを位置決めするための位置決め部８１が設けられている。この位置決め部８１は、円形または長楕円形状に突出する凸部に、一回り小さい形状の凹部を設けたものである。
【００３１】
図１０（Ａ），（Ｂ），（Ｃ）に示すように、右カバー３７の側に配設される外側の熱交換器６７Ｂのパネル８２Ａ，８２Ｂには、前記と同様に、互いに対称に位置する複数の仕切用凹条８３Ａ，８３Ｂが形成され、これら仕切用凹条６９Ａ，６９Ｂを除く部位により再生空気を通過させる複数の流路８４が形成されている。この流路８４は、熱交換器６７Ａの流路７０と左右に対応する位置が最下端に位置するように傾斜され、その最下端位置にドレン部８５が設けられている。また、貼り合わされた仕切用凹条６９Ａ，６９Ｂの部位には、吸引した空気を流通させるための通孔８６が設けられている。なお、この外側の熱交換器６７Ｂの流路８４および通孔８６は、中側の熱交換器６７Ａの流路７０および通孔７２に対して前後に位相され、右カバー３７から流入された空気は、通孔８６および通孔７２の順番で千鳥足状に流れるように構成されている。
【００３２】
前記パネル８２Ａ，８２Ｂのうち、中側の熱交換器６７Ａの側に位置される左側のパネル８２Ａには、図１０（Ａ），（Ｃ）に示すように、前記熱交換器６７Ａの貫通孔７７の周囲に圧接されるとともに、前記ロータカバー５９の第２保持部６２を貫通するとともに膨出部６２ａを嵌合する外向きに突出した円環状の凸条からなる装着部８７が設けられている。この装着部８７の内径は、前記ロータカバー５９の第２保持部６２の膨出部６２ａを除く部分の外径と略同一に形成されている。また、装着部８７の周囲には、前記位置決め凸部６５Ａが嵌合される位置決め凹部８８が設けられている。さらに、前記装着部８７との対角位置である熱交換器６７Ａの接続口８０との対応位置には、同一形状をなすように突出する流出口８９が設けられている。さらにまた、このパネル８２Ａには、前記位置決め部８１に対応する位置決め凸部９０が設けられている。
【００３３】
外側の右カバー３７の側に位置される右側のパネル８２Ｂには、図１０（Ｂ），（Ｃ）に示すように、前記装着部８７および流出口８９との対応位置を閉塞したものである。また、このパネル８２Ｂには、前記位置決め凹部８８に対応するネジ貫通孔９１が設けられている。これにより、このパネル８２Ｂの内面に、第２保持部６２の閉塞された端面が当接して位置決めされるように構成している。
【００３４】
前記構成の熱交換器６７Ａ，６７Ｂは、パネル６８Ａ，６８Ｂ，８２Ａ，８２Ｂの溶着により、その外周部に二層構造をなす弾性変形可能な薄肉状の溶着縁９２Ａ，９２Ｂが形成される。そして、本実施形態では、図３および図１１に示すように、中側に配設される熱交換器６７Ａは、その溶着縁９２Ａが除湿通路１１の壁である右カバー３７の内面、および、基体１３の前側に位置する区画壁１３ａの内面に当接する寸法および形状とされ、シール部の役割をなすように構成している。また、この熱交換器６７Ａにおいて、後述する室内空気循環ファン９６による外気の流動方向上流側に位置する熱交換器６７Ｂは、その溶着縁９２Ｂが除湿通路１１の壁となる右カバー３７および基体１３の壁１３ａに当接しない寸法および形状とされている。また、本実施形態では、第１保持部６１の基部および第２保持部６２の基部に、円環状をなすスポンジからなるパッキン９３Ａ，９３Ｂが配設され、このパッキン９３Ａ，９３Ｂを介して熱交換器６７Ａ，６７Ｂが圧接（シール）されるように構成している。
【００３５】
前記再生空気循環ファン９４は、前記再生空気循環ファン配設部１８に配設されるシロッコファンからなり、モータ９５の駆動により回転されると、再生通路１２内の再生空気を循環させるものである。具体的には、再生空気は、再生通路１２を構成する再生空気循環ファン配設部１８、接続パイプ３１、加熱ヒータ５３のヒータケース５４、除湿ロータ５５の一部、ロータカバー５９、熱交換器６７Ａ，６７Ｂ、ダクトカバー２６の接続パイプ部２９、ダクト部２３の順番で循環させる。
【００３６】
前記室内空気循環ファン９６は、前記再生通路１２を除く外装体の内部全体からなる除湿通路１１内において、室内空気循環ファン配設部１７に配設されるシロッコファンからなり、モータ９７の駆動により回転されると、室内の空気を吸引して再び室内に排出（供給）するものである。具体的には、室内の空気は、右カバー３７の吸込口３８からフィルタ部材４０を通過して除湿機本体１０内に吸引され、外側の熱交換器６７Ｂの通孔８６および外周部、内側の熱交換器６７Ａの通孔７２、除湿ロータ５５、室内空気循環ファン配設部１７を通って吹出口３６およびルーバー４６から室内に循環供給される。なお、室内空気循環ファン９６のモータ９７は、通電量を変更することによって強風運転、中風運転および弱風運転の三段階の風量で動作可能なものが使用される。
【００３７】
前記タンク９８は、除湿した水を貯水するもので、図１２に示すように、上面開口の箱体形状をなし、その上端開口をタンクカバー１０４により閉塞したものである。具体的には、このタンク９８は、その前部９８ａが上向きに延びた形状をなし、除湿機本体１０の前面の一部を構成する。このタンク９８には、底の中央に逆Ｕ字形状をなし、前記タンクハンドル挿通部１４内に挿通されるハンドル９９が一体に設けられている。このハンドル９９の上部は、タンク９８の前部９８ａより低く、他のタンク９８の上端縁より高く形成されている。このハンドル９９には、後述するサブタンク１０８が位置する側に突起１００が設けられている。
【００３８】
また、前記タンク９８の内部には、一対の満水検出手段を構成するフロート部材１０１Ａ，１０１Ｂが配設されている。これらフロート部材１０１Ａ，１０１Ｂは、タンク９８の底において平面視で略対角に位置するようにそれぞれ設けた支持部１０２に対して回動可能に取り付けられている。また、各フロート部材１０１Ａ，１０１Ｂには、フロート部１０１ａが下向きに位置し、揺動していない状態での上部に磁石１０３Ａ，１０３Ｂが配設されている。
【００３９】
前記タンクカバー１０４は、前記タンク９８の前部９８ａが形成された部分を除く上端開口縁に嵌合され、前部と対応する部分は嵌合することなく平面的に内接した状態で取り付けられる形状をなす。このタンクカバー１０４には、前記ハンドル９９を挿通する挿通孔１０５が設けられている。また、後述するサブタンク１０８における除湿水の滴下位置と対応する部分には、一隅部を前記挿通孔１０５に位置させた第１滴下凹部１０６が設けられている。また、前記ダクト部２３に形成した排水孔２５の下部と対応する部分には、第１滴下凹部１０６と同様に、一隅部を前記挿通孔１０５に位置させた第２滴下凹部１０７が設けられている。即ち、前記ハンドル９９を挿通させるための挿通孔１０５は、除湿水をタンク９８内に浸水させる浸水口を構成する。
【００４０】
図４に示すように、前記基体１３において、タンク９８を装着した状態で前記第１滴下凹部１０６の上方位置には、上端開口の箱体形状をなすサブタンク１０８が設けられている。このサブタンク１０８は、前記第１滴下凹部１０６上に位置する一端（左）側が最下端となり、他端（右）側に向けて上向きに傾斜する底面を備え、その他端側に前記熱交換器６７Ａ，６７Ｂのドレン部７１，８５が配設される。また、前記一端の側壁には、内部に一時的に貯留した除湿水を排水するための滴下口１０９が設けられている。この滴下口１０９は、回動動作によって開閉可能とした弁体１１０によって常閉される。具体的には、この弁体１１０は、軸受部材１１１によって回動可能に配設されるとともに、非動作状態では図示しないスプリング（付勢手段）によって前記滴下口１０９を閉塞するように付勢されている。この弁体１１０には、前記タンクハンドル挿通部１４内に突出し、前記ハンドル９９の突起１００が当接することにより、該弁体１１０を回動させて開弁するための干渉部１１２が設けられている。
【００４１】
前記構成の除湿機には、前記タンク９８内が満水であるか否、および、タンク９８の装着状態および未装着状態を検出する手段として、一対の満水検出手段が搭載されている。これら満水検出手段は、前記タンク９８内に配設したフロート部材１０１Ａ，１０１Ｂ、各フロート部材１０１に配設した磁石１０３Ａ，１０３Ｂ、および、前記基体１３において前記磁石１０３Ａ，１０３Ｂの上部に設けたリードスイッチ１１３Ａ，１１３Ｂにより構成される。また、図１３に示すように、前記ファン９４，９６の故障対策である安全機構として、除湿通路１１内における除湿ロータ５５の下流側で、前記ヒータケース５４の手前の接続パイプ３１の外周部（図７参照）にサーミスタなどの温度検出手段１１４が配設されている。さらに、前記除湿ロータ５５の故障対策である安全機構として、前記除湿ロータ５５の周囲（図８参照）にフォトインタラプタなどの光学式のセンサからなるロータロック検出手段１１５が配設されている。このロータロック検出手段１１５は、除湿ロータ５５の凸状歯５８を跨ぐように配設した凹字形状の筐体を備え、その一方に発光手段が配設されるとともに他方に受光手段が配設され、凸条歯の通過により所定時間毎に受光手段が光を受光することにより、除湿ロータ５５が正常に回転しているか否かを検出できるように構成している。
【００４２】
前記各構成部品は、回路基板に実装された制御手段であるマイコン１１６により、予め記憶されたプログラムに従って動作される。具体的には、マイコン１１６は、操作パネル４５の電源スイッチがオン状態になり、除湿機本体１０のタンク収容室５２にタンク９８がセットされ、かつ、満水状態でない場合に、前記除湿ロータ５５の駆動モータ、再生空気循環ファン９４のモータ９５、加熱ヒータ５３、および、室内空気循環ファン９６のモータ９７に対して電力を通電し、ユーザが選択したモードおよび風量で除湿動作を開始する。
【００４３】
マイコン１１６により除湿動作が開始されると、室内空気循環ファン９６により除湿機本体１０内に吸引された空気は、除湿通路１１に配設した熱交換器６７Ａ，６７Ｂの通孔７２，８６を通過する際に、高温の再生空気と熱交換されることにより加熱された後、除湿ロータ５５を通過する際に含有した水分が除去（吸着）される。その後、除湿された乾燥空気の状態で室内に循環供給される。
【００４４】
また、再生空気循環ファン９４により循環される再生通路１２内の再生空気は、加熱ヒータ５３で加熱され、除湿ロータ５５を通過する際に該除湿ロータ５５が吸着した水分を吸着する。ついで、熱交換器６７Ａ，６７Ｂに分流され、通孔７２，８６を通過する室内空気と熱交換して冷却されることにより含有した水分を放出する。その後、ダクト部２３内を通って上昇する際に、更に冷却効果が得られ、熱交換器６７Ａ，６７Ｂでは放出されなかった水分を更に放出し、再び加熱ヒータ１５へと供給される。
【００４５】
さらに、前記熱交換器６７Ａ，６７Ｂで放出された除湿水は、熱交換器６７Ａ，６７Ｂ内の流路７０，８４を通ってドレン部７１，８５からサブタンク１０８に排出され、該サブタンク１０８の滴下口１０９からタンクカバー１０４の第１滴下凹部１０６内に滴下される。その後、傾斜した第１滴下凹部１０６の底を伝って浸水口であるハンドル９９の挿通孔１０５からタンク９８内に滴下される。さらにまた、ダクト部２３内で放出された除湿水は、ダクト部２３の底の排水孔２５からタンクカバー１０４の第２滴下凹部１０７内に滴下される。その後、傾斜した第２滴下凹部１０７の底を伝って挿通孔１０５からタンク９８内に滴下される。
【００４６】
一方、メーカでの組立時またはメンテナンス時に前記熱交換器６７Ａ，６７Ｂを装着する際には、図８に示す状態で、まず、中側の熱交換器６７Ａを装着する。具体的には、接続部６０における第１保持部６１の基部にパッキン９３Ａを配置した状態で、パネル６８Ａの装着部７３を接続部６０に位置させ、装着部７３および貫通孔７７に第２保持部６２を貫通させて第１保持部６１を装着し、位置決め用貫通孔７４および位置決め用貫通孔７８に位置決め凸部６５Ａを貫通させ、位置決め凹部７５に位置決め凸部６５Ｂを嵌合させ、流出口７６にダクトカバー２６の接続パイプ部２９を嵌合（接続）させる。そして、ネジ貫通孔７９にネジを貫通させて位置決め凸部６５Ｂに締め付けることにより、中側の熱交換器６７Ａを固定する。
【００４７】
ついで、第２保持部６２の基部にパッキン９３Ｂを配置した状態で、外側の熱交換器６７Ｂを配置し、パネル８２Ａの装着部８７に第２保持部６２を貫通させて装着し、位置決め凹部８８に位置決め凸部６５Ａを嵌合させ、位置決め凸部９０に位置決め凹部８８を嵌合させ、流出口８９に接続口８０を嵌合（接続）させる。そして、ネジ貫通孔９１にネジを貫通させて位置決め凸部６５Ａに締め付けることにより、外側の熱交換器６７Ｂを固定する。
【００４８】
このように、本実施形態の除湿機では、熱交換器６７Ａ，６７Ｂを真空成形または圧空成形により形成したパネル６８Ａ，６８Ｂ、８２Ａ，８２Ｂを溶着して製造しているため、薄肉で熱交換効率を向上できるとともに製造に係る歩留まりを向上できる。しかし、その反面、この熱交換器６７Ａ，６７Ｂは柔軟で変形し易いという難点を有するものであるが、本実施形態では、変形させることなく簡単に取り付けることができる。
【００４９】
具体的には、本実施形態の除湿機において、熱交換器６７Ａ，６７Ｂを取り付けた状態では、熱交換器６７Ａにおける装着部７３がパッキン９３Ａを介してロータカバー５９に圧接されるとともに、パネル６８Ｂの内面に第１保持部６１の先端である段部６３が当接した状態で、ネジ止めにより固定される。また、熱交換器６７Ｂにおける装着部８７をパッキン９３、および、熱交換器６７Ａのパネル６８Ｂを介してロータカバー５９の段部６３に圧接されるとともに、パネル８２Ｂの内面に第２保持部６２の先端が当接した状態でネジ止めにより固定される。そのため、薄肉な熱交換器６７Ａ，６７Ｂは、ロータカバー５９の接続部６０により、簡単かつ確実に安定した状態で個別に固定することができ、十分な密閉性を確保できる。
【００５０】
なお、本発明の除湿機は、前記実施形態の構成に限定されるものではなく、種々の変更が可能である。
【００５１】
例えば、前記実施形態では、加熱ヒータ５３、除湿ロータ５５および一対の熱交換器の順番で積層配置し、熱交換器６７Ａ，６７Ｂは２個積層配置する構成としたが、その数は３個以上、除湿ロータ５５と逆向きに積層配置してもよい。この場合、除湿ロータ５５から最も離れた外側熱交換器は、前記実施形態の第２保持部６２と同様に一方のパネルを貫通し他方のパネルに当接する構成とし、中側に配設する他の熱交換器は、前記実施形態の第１保持部６１と同様に挿通して位置決め保持できる構成とする。そして、各保持部の境界部分には前記と同様の段部６３を形成することが好ましい。
【図面の簡単な説明】
【００５２】
【図１】本発明の実施形態に係る除湿機を示す概略図である。
【図２】除湿機の斜視図である。
【図３】除湿機を所定位置で横向きに切断した断面図である。
【図４】除湿機を所定位置で縦向きに切断した断面図である。
【図５】除湿機の左側の構成を示す断面図である。
【図６】除湿機の右側の構成を示す断面図である。
【図７】除湿機の基体に所定の部品を装着した状態を示す断面図である。
【図８】図７に更に部品を装着した状態を示す断面図である。
【図９】は中側熱交換器を示し、（Ａ）は左側面図、（Ｂ）は右側面図、（Ｃ）は要部断面図である。
【図１０】は外側熱交換器を示し、（Ａ）は左側面図、（Ｂ）は右側面図、（Ｃ）は要部断面図である。
【図１１】一対の熱交換器の取付状態を示す要部拡大断面図である。
【図１２】タンクとタンクカバーとを示す分解斜視図である。
【図１３】除湿機の構成を示すブロック図である。
【符号の説明】
【００５３】
１０…除湿機本体                      １１…除湿通路
１２…再生通路                        ５３…加熱ヒータ
５５…除湿ロータ                      ５９…ロータカバー
６０…接続部                          ６１…第１保持部
６２…第２保持部                      ６３…段部
６４…排気口                          ６７Ａ，６７Ｂ…熱交換器
７０…流路                            ７２…通孔
７３…装着部                          ７７…貫通孔
８２Ａ，８２Ｂ…パネル                ８４…流路
８６…通孔                            ８７…装着部
９３Ａ，９３Ｂ…パッキン              ９４…再生空気循環ファン
９６…室内空気循環ファン              ９８…タンク
【図１】
2006204971.tif 000003
【図２】
2006204971.tif 000004
【図３】
2006204971.tif 000005
【図４】
2006204971.tif 000006
【図５】
2006204971.tif 000007
【図６】
2006204971.tif 000008
【図７】
2006204971.tif 000009
【図８】
2006204971.tif 000010
【図９】
2006204971.tif 000011
【図１０】
2006204971.tif 000012
【図１１】
2006204971.tif 000013
【図１２】
2006204971.tif 000014
【図１３】
2006204971.tif 000015